(57)【特許請求の範囲】
【請求項１】
第１電気活性レンズと、
前記第１電気活性レンズに隣接する第１テンプル部分を有するフレームであって、前記第１テンプル部分が第１電子モジュールを有する、フレームと、
前記第１電気活性レンズに接続され、第１延長可能導体を介して前記第１電子モジュールと遮断可能に接続された第１導電部材と、
前記第１電気活性レンズの周囲に少なくとも部分的に延在する第１レンズリムと、
を備え、
前記第１導電部材が、第１導電体と接続され、
前記第１導電体が、前記第１電気活性レンズの縁部に沿って位置する第１溝部と前記第１溝部の反対側にありかつ前記第１レンズリムの内縁部に位置する第２溝部との間で少なくとも部分的に保持されることを特徴とする電気活性メガネ。
【請求項２】
前記第１延長可能導体が、バネ導体を有することを特徴とする請求項１に記載の電気活性メガネ。
【請求項３】
前記バネ導体が、少なくとも１つの導電素子を有し、
前記導電素子が、前記第１テンプル部分が開いた構造にあるときに伸長し、前記第１テンプル部分が閉じた構造にあるときに後退するように構成されていることを特徴とする請求項２に記載の電気活性メガネ。
【請求項４】
少なくとも１つの前記導電素子が、伸長時に前記第１導電部材と接続し、後退時に前記第１導電部材と接続解除することを特徴とする請求項３に記載の電気活性メガネ。
【請求項５】
前記第１電気活性レンズと接続しかつ第２延長可能導体を介して前記第１電子モジュールと遮断可能に接続された第２導電部材をさらに備え、
前記第２導電部材が、第２導電体に接続され、
前記第２導電体が、少なくとも１つの絶縁体によって前記第１導電体から離間され、
前記第２導電体が、前記第１電気活性レンズの前記第１溝部と前記第１溝部の反対側にありかつ前記第１レンズリムの内縁部に位置する第３溝部との間で少なくとも部分的に保持されることを特徴とする請求項１に記載の電気活性メガネ。
【請求項６】
前記第１電子モジュールが、取り外し可能であり、誘導充電領域を有し、前記第１電気活性レンズを作動させるために第１駆動信号を提供するように構成されていることを特徴とする請求項１に記載の電気活性メガネ。
【請求項７】
第１動作モードと第２動作モードとの間で当該電気活性メガネを移行させるように構成されたコントローラをさらに備えることを特徴とする請求項１に記載の電気活性メガネ。
【請求項８】
前記コントローラが、前記第１延長可能導体の作動及び前記第１延長可能導体の状態に基づいて前記第１動作モードと前記第２動作モードとの間で当該電気活性メガネを移行させるように構成されていることを特徴とする請求項７に記載の電気活性メガネ。
【請求項９】
前記コントローラが、容量及び駆動信号波形の変化の少なくとも一方を検出して前記第１動作モードと前記第２動作モードとの間で当該電気活性メガネを移行させるようにさらに構成されていることを特徴とする請求項７に記載の電気活性メガネ。
【請求項１０】
前記コントローラが、前記第１動作モード及び前記第２動作モードの一方と第３動作モードとの間で当該電気活性メガネを移行させるようにさらに構成されていることを特徴とする請求項７に記載の電気活性メガネ。
【請求項１１】
前記第１動作モードが、動作のスタンバイモードであり、
前記第２動作モードが、動作の作動モードであり、
前記第３動作モードが、動作の非作動モードであることを特徴とする請求項１０に記載の電気活性メガネ。
【請求項１２】
前記コントローラが、ユーザの音声命令に基づいて、前記第１動作モードと前記第２動作モードとの間で当該電気活性メガネを移行させるようにさらに構成されていることを特徴とする請求項７に記載の電気活性メガネ。
【請求項１３】
前記コントローラが、ユーザが前記フレームを開くこと及びユーザが前記フレームを閉じることの少なくとも一方に基づいて、前記第１動作モードと前記第２動作モードとの間で当該電気活性メガネを移行させるようにさらに構成されていることを特徴とする請求項７に記載の電気活性メガネ。
【請求項１４】
前記コントローラが、当該電気活性メガネが上下反転して位置付けられていること及び当該電気活性メガネが上下反転位置から正立位置に切り替えられていることの少なくとも一方に基づいて、前記第１動作モードと前記第２動作モードとの間で当該電気活性メガネを移行させるようにさらに構成されていることを特徴とする請求項７に記載の電気活性メガネ。
【請求項１５】
前記第１溝部が、第１電気活性レンズの前記縁部に位置することを特徴とする請求項１に記載の電気活性メガネ。
【発明の詳細な説明】
【技術分野】
【０００１】
関連出願の相互参照
本願は、以下の仮特許出願、２００９年１月９日に出願した米国特許出願第６１／１４３４５９号、２００９年２月１２日に出願した米国特許出願第６１／１５２１４０号、２００９年３月５日に出願した米国特許出願第６１／１５７５７９号、２００９年３月５日に出願した米国特許出願第６１／１５７５８０号、２００９年４月１７日に出願した米国特許出願第６１／１７０２２２号、２００９年９月１５日に出願した米国特許出願第６１／２４２４０６号、及び２００９年１０月１９日に出願した米国特許出願第６１／２５２７７０号の優先権を主張し、かつこれら全体を参照として組み込む。
【０００２】
発明の技術分野
本発明は、全体的に、電気活性メガネに関する。より具体的には、本発明は、任意のフレームタイプ、スタイルまたはサイズに適合する電気活性レンズを動作させかつ同期させる電子機器及び関連する充電デバイスを提供する。
【背景技術】
【０００３】
電気活性レンズは、一般的に、電力の印加及び除去によって電気活性材料（例えば液晶材料）の屈折率を変更することで、調整可能な屈折力の領域を提供する。従来の電気活性レンズ及びメガネは、（ａ）電気活性レンズの動作を制御しかつ同期させるための、（ｂ）制御電子機器と電気活性レンズとの間に導電性をもたらすための、及び（ｃ）電気活性レンズを再充電するための、美的に許容可能なかつ特有の機構を提供しない。さらに、これら問題に取り組む従来のデバイス及び教示は、一般的に、任意のフレームサイズ、タイプまたはスタイルに適合しないという点で制限される。
【発明の概要】
【発明が解決しようとする課題】
【０００４】
したがって、美的に許容可能なかつ容易に実行可能な方法で任意のタイプのフレームに収容される電気活性レンズの動作を制御する及び同期させる電子機器が必要である。さらに、任意のフレームサイズ、形状またはスタイルの電気活性レンズを再充電する充電器デバイスも必要である。
【図面の簡単な説明】
【０００５】
【図１】本発明の一態様における電気活性メガネを示す図である。
【図２】図１に示す電気活性メガネを示す側面図である。
【図３】本発明の一態様における電気活性メガネの電気部品の例示的な構成を示す図である。
【図４】本発明の一態様における図３に示すバッテリと電子モジュールとの間における電気的接続性の例示的な構造を示す図である。
【図５】本発明の一態様における電子モジュールを示す図である。
【図６】本発明の一態様における電気活性レンズを示す図である。
【図７】本発明の一態様におけるフレームの一部を示す図である。
【図８】本発明の一態様における図７に示すフレームを示す分解図である。
【図９】本発明の一態様における電気活性メガネの一部を示す図である。
【図１０】本発明の一態様における電気活性メガネを示す正面図である。
【図１１】本発明の一態様における電気活性メガネの右側テンプルの一部を示す図である。
【図１２】本発明の一態様における電気活性メガネの右側テンプルの一部を示す図である。
【図１３】本発明の一態様における電気活性メガネを示すブロックダイアグラムである。
【図１４】本発明の一態様におけるスリムライン充電器を示す図である。
【図１５】本発明の一態様における図１４に示すスリムライン充電器を示す側面図である。
【図１６】本発明の一態様における図１４及び図１５に示す閉じた位置にあるスリムライン充電器を示す図である。
【図１７】本発明の一態様における電気活性フレームを示す図である。
【図１８】本発明の一態様における電気活性メガネを示す図である。
【発明を実施するための形態】
【０００６】
本発明の態様は、電気活性レンズの動作を制御しかつ同期させる電子機器を提供する。制御電子機器は、さまざまなフレームタイプ、サイズ及びスタイルに位置付けられ、効果的なユーザとの相互作用を可能とする。制御電子機器またはその一部は、電子モジュール内に収容されている。電子モジュールは、フレームテンプル内に位置付けられ、取り外し可能かつプログラム変更可能であり、誘導充電領域を有する。本発明における電気活性メガネは、１以上の電子モジュールを使用する。単一の電子モジュールを使用する場合、電子モジュールは、ほぼ同時に各電気活性レンズを作動させかつ作動停止させる。そして、２つの電子モジュールを使用する場合、第１電子モジュールは、第２電子モジュールの動作を同期させ、電気活性レンズ双方の協調した動作を確実にする。
【０００７】
本発明の態様は、１以上の電子モジュール間及び／または電気活性メガネの左側部分と右側部分との間に接続性を提供する。接続性は、フレームタイプに応じて変化する。本発明の態様によれば、電気活性レンズを支持するフレームの左側及び右側並びに上側及び下側のリム部分、ブリッジ、電気活性レンズの導電層、電気活性レンズの上側及び下側溝部、ワイヤ、もしくは、フレームの任意の部分に組み込まれた他の導電リンク、及び／または、無線接続部を用いて、電気活性メガネが１以上の導電リンクを有することを可能とする。
【０００８】
本発明の態様は、任意のサイズ、形状またはスタイルの電気活性メガネの電源を再充電する充電器を提供する。本発明のスリムライン充電器は、ベース及びアームを有し、本発明の電気活性メガネを支持する。スリムライン充電器は、１以上の調整可能な誘導充電クレードルを有し、本発明における電気活性メガネの電源（例えば１以上のバッテリ）を誘導充電する。
【０００９】
図１は、本発明の一態様における電気活性メガネまたはメガネを示す。図１に示す電気活性メガネ１００は、左側及び右側テンプルとフレームフロント（フレームフロントは、当業者が理解するように、左側及び右側のレンズ縁またはリムを備える）を備えるフルリム型メガネである。本発明における電気活性メガネ及びフレームは、フルリム型、部分リム型、縁ナシ型であってもよい。電気活性メガネ１００は、フレーム１０２、第１電気活性レンズ１０４及び第２電気活性レンズ１０６を有する。フレーム１０２は、左側及び右側テンプル部分と、ブリッジと、電気活性レンズ１０４及び１０６を支持するリム部分（例えば上側及び／または下側リム部分）と、を有する。第１及び第２電気活性レンズ１０４及び１０６は、それぞれ、「電気活性回折レンズ及びこれを形成する方法」と題された２００９年３月２３日に出願した米国特許出願第１２／４０８９７３号（以降’９７３号出願）において説明されるような電気活性レンズであり、これは、そのすべてが参照として本明細書に組み込まれる。一般的に、第１及び第２電気活性レンズ１０４及び１０６は、それぞれが電力の印加によって提供される屈折力の変更、変化及び調整が可能な任意のレンズである。
【００１０】
右側テンプル部分は、第１電気活性レンズ１０４に隣接して位置する第１テンプル部分とされる。左側テンプル部分は、第２電気活性レンズ１０６に隣接して位置する第２テンプル部分とされる。ブリッジは、第１及び第２電気活性レンズ１０４及び１０６を接続する、連結するまたは支持するフレームの一部または電気活性メガネ１００の別個の部分とされる。
【００１１】
電気活性メガネ１００は、第１及び第２電気活性レンズ１０４及び１０６に給電する１以上の電源を有する。例として、各電源は、１以上のバッテリ（例えば従来の再充電可能なバッテリ及び／または太陽電池）を有する。電気活性メガネ１００は、同様に、電気活性レンズ１０４及び１０６の動作を支配する電子機器を有する。電子機器は、１以上の制御ユニット（例えば各電気的活性レンズに一致する制御ユニット）を備え、電気活性レンズ１０４及び１０６をいつ作動するか及びいつ作動解除するかを決定する。電気活性メガネ１００の１以上の電源及び電子機器は、フレーム１０２の任意の部分内に収容されるまたは入っている。電気活性メガネ１００の１以上の電源及び１以上の制御ユニットは、フレーム１０２内またはフレーム１０２にわたって任意の態様でグループ化され、分布され、または分散されている。
【００１２】
本発明の一態様によれば、電気活性メガネ１００の１以上の電源及び１以上の制御ユニットは、さまざまなフレームタイプ及びスタイルに適合する態様で配置されている。具体的には、本発明の一態様によれば、電気活性メガネ１００の１以上の電源及び１以上の制御ユニットをフルリム型、部分リム型または縁ナシ型のフレームに適合する態様で配置することが可能である。
【００１３】
本発明の一態様によれば、電気活性レンズ１０４及び１０６の動作は、同期されている。すなわち、フレーム１０２に収容されている１以上の制御ユニットは、電気活性レンズ１０４及び１０６の作動及び作動停止を調整しており、電気活性レンズ１０４及び１０６をほぼ同時に作動または作動停止させる。
【００１４】
本発明の一態様において、フレーム１０２内に収容されている１以上の制御ユニットは、電気活性レンズ１０４及び１０６を自動的に動作させる（例えば作動及び作動停止させる）。例として、電気活性レンズ１０４及び１０６は、１以上の制御ユニットによって検出されるようにユーザの頭部を傾けると、作動または作動停止される。１以上の制御ユニットは、同様に、ユーザが電気活性レンズ１０４及び１０６と相互作用することが可能である。例として、ユーザは、電気活性レンズ１０４及び１０６を手動で作動または作動停止させ、電気活性レンズ１０４及び１０６の自動動作を無効にし、電気活性メガネ１００を（電気活性レンズ１０４及び１０６を手動または自動で作動も作動停止もさせない）スタンバイモードにし、または、電気活性メガネ１００の電源を落とす。
【００１５】
電気活性メガネ１００の電子機器は、プロセッサ、メモリ、電源（例えばバッテリ）及びジャイロスコープまたは加速度計を含む。上述のように、これら構成部材は、フレーム１０２のさまざまな部分にグループ化されまたは分配されている。例えば、これら構成部材のすべてまたは一部は、グループ化されて内蔵型の電子モジュールを形成する。電気活性メガネ１００は、第１及び第２電気活性レンズ１０４及び１０６双方の同期した動作を支配する単一の電子モジュールを備える。あるいは、第１電気活性レンズ１０４の動作は、第１電子モジュールによって支配され、第２電気活性レンズ１０６の動作は、第２電子モジュールによって支配されている。この計画の下、第１及び第２電子モジュールは、１以上の導電ワイヤ（例えば、フレーム１０２の所定部分に埋め込まれている）またはフレーム１０２の１以上の導電部分（例えば導電金属層または非導電材料によって覆われた導電コア）、電気活性レンズ１０４及び１０６の１以上の導電層、光学リンクを用いて、及び／または無線通信リンクを介して通信している。第１及び第２電子モジュール間の通信は、第１及び第２電気活性レンズ１０４及び１０６の協調した動作を容易にする。
【００１６】
図２は、図１に示す電気活性メガネ１００を示す側面図である。図２に示すように、電気活性メガネ１００は、電子モジュール（または制御ユニット）２０２を備える。上述のように、電子モジュール２０２は、さまざまな電子部品を有する。電子モジュール２０２は、フレーム１０２の前方テンプル近傍に位置付けられている。電子モジュール２０２は、フレーム１０２内に（例えばフレーム１０２の所定領域またはキャビティに）位置付けられており、取り外し可能かつ交換可能である。あるいは、電子モジュールは、フレーム１０２内に組み込まれてフレーム１０２の一部を形成する。電子モジュール２０２は、フレーム１０２のテンプルの外側部分に（装着者から離れて）位置し、または、フレーム１０２のテンプルの内側部分に（装着者に近接して）位置する。電子モジュール２０２は、フレーム１０２の左側テンプルまたは右側テンプルに（すなわちフレーム１０２の片方に）位置付けられている。電子モジュール２０２は、フレーム１０２のテンプル内に挿入されると、フレーム１０２の外側部分と同一平面となる。電気活性レンズ１０４を動作させるために使用される電子部品のすべてまたは一部は、電子モジュール２０２内に収容されている。
【００１７】
電子モジュール２０２は、同様に、電気活性レンズ１０６の動作を制御する（または少なくとも同期動作を確実にする）。電子モジュール２０２と１以上の電気活性レンズ１０４及び１０６との間の電気的接続は、以下で詳述するように、フレーム１０２並びに／または電気活性レンズ１０４及び１０６を通って経路付けられている。本発明の一態様において、電子モジュール２０２と１以上の電気活性レンズ１０４及び１０６との間の接続性は、単一の導電ワイヤを用いて達成されている。
【００１８】
本発明の一態様において、（例えば１以上の導電リンクまたはワイヤを備える）第１電気的接続部は、電気活性メガネ１００の１以上の電源と１以上の電子モジュール２０２との間に接続性をもたらすために用いられ、（例えば１以上の導電リンクまたはワイヤを備える）第２電気的接続部は、１以上の電子モジュール２０２と１以上の電気活性レンズ（例えば電気活性レンズ１０４及び１０６）との間の接続性をもたらすために用いられる。  例えば、フレーム１０２内に位置付けられるバッテリは、同様にフレーム１０２内に位置付けられている電子モジュール２０２に、第１導電リンクを用いて結合されている。第２の、別個の（例えば第１導電リンクから電気的に絶縁された）導電リンクは、電子モジュール２０２を電気活性レンズ１０４及び１０６に結合するために用いられている。
【００１９】
本発明の一態様において、（例えば１以上の電線を備える）同一の導電リンクは、当業者が理解するように、電気活性メガネ１００の１以上の電源と、１以上の電子モジュール２０２と、電気活性レンズ１０４及び１０６と、を結合するために使用される。これにより、電源をフレーム１０２の片側に（例えば第１テンプルに）位置付け、電子モジュール２０２をフレーム１０２の他側に（例えば第２テンプルに）位置付けることが可能になる一方、同一の導電リンクを使用して電力を電子モジュール２０２にかつ電子モジュール２０２から制御信号を電気活性レンズ１０４及び１０６に同時に供給するために使用される。その結果、フレーム１０２内に位置付けられる複数の導電リンク（例えば埋込型ワイヤ）は、最小化される。
【００２０】
図３は、電気活性メガネ１００の電子部品の例示的な構成を示す。具体的には、図３は、電気活性メガネ１００のフレーム１０２の端部近傍に位置するバッテリ３０２を示す。フレーム１０２の端部は、図示の目的のみのために除去されている。バッテリ３０２は、再充電可能なバッテリであり、電子モジュール２０２内に位置する電子部品に給電する。バッテリ３０２は、本発明における１以上の電子モジュールに給電する。
【００２１】
図４は、図３に示すバッテリ３０２と電子モジュール２０２との間の電気的接続性の例示的な構成を示す。フレーム１０２の所定部分は、図示の目的のみのために除去されている。図４に示すように、導電ワイヤ４０２は、バッテリ３０２を電子モジュール２０２に結合する。導電ワイヤ４０２は、電気活性メガネ１００のフレーム１０２内に位置付けられている（例えばフレーム１０２内に埋め込まれている）。
【００２２】
図５は、本発明の一態様における電子モジュール２０２を示す。電子モジュール２０２は、電源（例えば再充電可能なバッテリまたは太陽電池）を含む１以上の電気活性レンズの動作を支配する電子部品のすべてまたは一部を収容する。図５に示すように、電子モジュール２０２は、ハウジング５０２と、第１接点５０４と、第２接点５０６と、を備える。ハウジング５０２は、例えばプロセッサ、メモリ、電源及び／またはジャイロスコープ／加速度計など電子モジュール２０２の電子部品を収容する。
【００２３】
第１接点５０４は、ハウジング５０２と１以上の関連する電気活性レンズ（例えば第１電気活性レンズ１０４）の他の部分との間の電気的接続性をもたらす。第２接点５０６は、電子モジュール２０２のメモリへの電気的接点をもたらす。第２接点５０６は、例えば電子モジュール２０２を直接プログラムするまたは再度プログラムするために使用される。追加の接点（単純化のために図示略）または第１及び／もしくは第２接点５０４及び５０６は、同様に、遠隔にあるバッテリ（例えば図３及び図４に示すバッテリ３０２）へのまたは他の電子モジュールもしくは制御ユニットへの接続性をもたらす。別のまたは追加の接点（例えばアンテナ）は、電子モジュール２０２の無線プログラムすることを可能とする。
【００２４】
一般的に、電子モジュール２０２は、フレーム１０２の任意の場所に（例えば電子モジュール２０２の挿入を許可するように設計された領域またはキャビティを有するフレーム１０２の任意の位置に）位置付けられている。電子モジュール２０２は、図２に示すように、幅広いさまざまなフレームタイプ及びスタイルの前方テンプル近傍に位置する。具体的には、電子モジュール２０２は、フルリム型、部分リム型または縁ナシ型のフレームの所定部分内に位置する。電子モジュール２０２は、取り外されて新たなモジュールと交換されるまたは再度プログラムされる。例として、電子モジュール２０２は、ユーザに関する第１動作モードまたは第１規定によって初期的にプログラムされている。その後、電子モジュール２０２は、取り外され、第２接点５０６を用いて、ユーザに関する第２動作モードまたは第２規定によって再度プログラムされる。
【００２５】
第２接点５０６の代替として、電子モジュール２０２は、無線通信リンクを用いて再度プログラムされ、再度プログラムするために電子モジュール２０２をフレームから取り外す必要がない。再度プログラムすることは、関連する電気活性レンズを作動または作動停止させるための特定の頭部傾斜角を変更することを含む。
【００２６】
電子モジュール２０２は、同様に、１以上の発光ダイオード（ＬＥＤ）を有するまたはＬＥＤに結合されている。１以上のＬＥＤは、本発明の電気活性メガネにおける動作状態または状況を表示し、この動作状態または状況は、限定されないが、メガネにおける電源の電力レベルを含む。
【００２７】
電子モジュール２０２と遠隔通信デバイスとの間の無線通信リンクは、上述のように、電子モジュール２０２を再度プログラムする機構を提供するが、同様に、本発明の電気活性メガネの動作状況及び動作履歴の情報を収集する機構を提供する。再度プログラムすることの検証（例えば制御ファームウエアの更新の成功を検証すること）及び他のデータ収集は、このような通信リンクを用いて可能となる。
【００２８】
電子モジュール２０２の１以上のＬＥＤは、遠隔にあるデバイスとの通信を容易にするために使用される。例えば、１以上のＬＥＤは、受信ステーションに光学的に結合されており、電子モジュール２０２の動作パラメータを読み出し、かつ再構築または再度プログラムすることを補助する（例えば更新されたファームウエアを検証すること）。
【００２９】
また、本発明の電気活性メガネと遠隔にあるデバイスとの間の通信リンクは、それらの電気活性レンズを用いて構築される。例えば、本発明の電気活性レンズは、当業者が理解するように、レンズの「チラつき」を含むデータをコード化することによって信号を受信ステーションに伝送する。
【００３０】
電子モジュール２０２は、任意の数の機構を収容しており、この機構によって、ユーザは、電子モジュール２０２と相互作用して本発明の電気活性メガネの動作を調整する。例えば、電子モジュール２０２は、スイッチまたはユーザが電子モジュール２０２と相互作用すること可能とするデバイスを有する。スイッチまたはデバイスは、押しボタンスイッチ、（例えば容量性検出パッドを備える）容量性スイッチ、トグルスイッチまたは他の手動スイッチである。スイッチまたはデバイスは、ユーザが関連する電気活性レンズを作動または作動停止させ、関連する電気活性レンズの自動的な動作を無効にするまたは開始させ、ユーザに関する動作モードまたは修正規定を選択する。容量性スイッチは、フレーム１０２内に位置すると露出するまたはアクセス可能である電子モジュール２０２の表面に位置する。あるいはまたはさらに、容量性検出パッドは、電子モジュール２０２に結合されたフレーム１０２内に配置されるまたは組み込まれる。
【００３１】
電子モジュール２０２は、同様に、モード間を切り替える能力を有し、音声作動を介してまたは光検出に基づいて作動または作動停止する。例えば、ユーザは、音声命令または指示を出すまたは話すことによって、レンズを作動または作動停止させる、または別の方法で動作を調整する。さらに、電子モジュール２０２は、電子モジュール２０２が有する電子機器によって測定されまたは検出された光量に基づいて、作動もしくは作動停止されるまたは動作モードを変更する。例えば、比較的小さい光において、電子モジュール２０２は、自動的に作動停止され（またはスタンバイの、切替不能なモードに位置され）、比較的明るい光の状態のときに作動さる（またはスタンバイの切替不能なモードから切り替えられる）。最後に、電子モジュール２０２は、電子機器を有し、遠隔作動または動作モードの切り替えを可能とする。例えば、電子モジュール２０２は、遠隔無線作動または本発明の電気活性メガネから遠隔にある所定位置からの有線リンクによって接続されたスイッチによる作動を可能とする。遠隔操作は、身体に障害がある個人（例えば彼らの腕を移動させてフレームのテンプルに触れることが容易にはできない個人）にとって非常に便利である。
【００３２】
上述した機構のすべては、本発明の電気活性メガネの動作を調整するためにユーザによって使用される。例えば、ユーザは、上記機構の１つを使用してレンズを動作の第１モードから第２モードに、または任意の数のさまざまな動作モード間で切り替える。例えば、第１動作モードは、動作のスタンバイモードである。動作のスタンバイモードにおいて、本発明の電気活性メガネは、切替不能状態に入る（電気活性レンズは、傾斜センサ、距離計または他の作動／作動停止検出デバイスから受信した検出信号に基づいて、自動で作動または作動停止せず、これには手動制御を含む）。
【００３３】
第２動作モードは、電気活性メガネの作動モードである。動作の作動モードにおいて、本発明の電気活性メガネは、切替可能状態に入る（電気活性レンズは、傾斜センサ、距離計または手動制御を含む他の作動／作動停止検出デバイスから受信した検出信号に基づいて、自動で作動または作動停止される、または直接手動制御して作動または作動停止させることに反応する）。
【００３４】
本発明における電気活性メガネは、同様に、追加の動作状態またはモードを有し、これら動作状態またはモードは、ユーザが使用し（上記機構の相互作用の１つを用いてこれらの間で切り替えるまたは移行させる）。例えば、本発明の電気活性メガネは、手動動作状態を有する。手動動作状態において、ユーザは、本発明の電気活性レンズを作動または作動停止するように手動で指示する。手動の指示は、上述のように、音声命令またはスイッチの接触もしくは切り替えによってもよい。
【００３５】
別の動作モードは、オンモードである。オンモードまたはオン状態において、本発明の電気活性メガネは、本発明の電気活性レンズを作動状態に維持する。したがって、オフモードは、本発明の電気活性レンズを作動停止状態に維持する。
【００３６】
電子モジュール２０２をプログラムまたは再度プログラムする能力は、本発明の電気活性メガネが特有のユーザに関してカスタマイズまたは再度カスタマイズできるようにする。本発明の電気活性メガネにおけるカスタマイズ可能な機能は、以下の、
本発明の１以上の電気活性レンズを作動させる頭部傾斜角度、
本発明の１以上の電気活性レンズを作動停止させる頭部傾斜角度、
ユーザが見る対象とユーザとの間の距離であって本発明の１以上の電気活性レンズを作動または作動停止させる距離、
動作モードの数（例えば、スタンバイモードまたは作動モードまたはオフモードのような動作モードの包含または排除）、
選択した動作モード間の切替方法（例えば、どの上記機構を使用するか選択し、ユーザが切替または状態の順序を含むモード間で切り替えることを可能とする）、
及び、ユーザ規定（例えば、本発明の電気活性レンズにおける電気活性領域によって供給される屈折力）、
のいずれか含む。
【００３７】
本発明の電気活性メガネにおける任意のカスタマイズ可能な機能は、電子モジュール２０２に直接的に（例えばフラッシュプログラムまたは直接的な配線リンクを用いて）または間接的に（例えば赤外線リンクまたはＲＦリンクのような無線リンクを用いて）プログラムされている。
【００３８】
電子モジュール２０２は、誘導充電領域を有する。すなわち、電子モジュール２０２は、電子モジュール２０２の電源（または電子モジュール２０２に結合された電源）を誘導充電デバイスによって再充電することができる電子機器を有する。誘導充電領域は、誘導充電コイルを有する。本発明の一態様によれば、誘導充電コイルは、遠隔通信デバイスと通信するアンテナとして機能する。遠隔通信デバイスと通信することにより、電子モジュール２０２を遠隔無線プログラムすることができる、または上述のように２以上の電子モジュール２０２間で通信することができる。一般的に、誘導充電領域は、これら目的を果たすように構成されている。
【００３９】
電子モジュール２０２のジャイロスコープまたは加速度計は、ユーザの頭部の傾きに基づいて、関連する電気活性レンズの作動及び作動停止を容易にする。例えば、ジャイロスコープまたは加速度計は、ユーザの頭部が第１所定閾値角度より下方に傾くと関連する電気活性レンズを作動させ、ユーザの頭部が第２所定閾値より上方に傾くと関連する電気活性レンズを作動停止させる。さらに、ジャイロスコープまたは加速度計は、電子モジュール２０２を収容する電気活性メガネを上下反転して位置付けると、関連する電気活性レンズへの電力供給を切るまたは遮断する。例えば、ユーザは、比較的平坦面において電気活性メガネ１００を単に配置することによって、電子モジュール２０２を収容する電気活性メガネ１００への電力供給を切るまたは遮断する。あるいは、電気活性メガネ１００を上下反転して位置付けることは、電気活性メガネ１００をスタンバイモード（例えば、電気活性メガネ１００が作動及び作動停止状態間で切り替えないが他の方法で作動される）に置く。
【００４０】
電子モジュール２０２は、同様に、距離計を有するまたは代替的に有する。距離計は、本発明の電気活性メガネの装着者と装着者が見るまたは観察する対象との間の距離に基づいて、関連する電気活性レンズの作動及び作動停止を容易にする。
【００４１】
図６は、本発明の一態様における電気活性レンズ６００を示す。電気活性レンズ６００は、電気活性レンズ１０４及び１０６の一方を示す。電気活性レンズ６００は、図６の仕上たレンズとして示される。すなわち、電気活性レンズ６００は、メガネフレームに嵌め込むために縁付け及び溝付けされている。
【００４２】
図６に示すように、電気活性レンズ６００は、第１基板（例えば頂部基板）６０２と、第２基板（例えば底部基板）６０５と、を備える。縁付け処理中において、（例えば第１及び第２基板６０２及び６０４の界面近傍にまたは界面間に）溝部６０６を形成する。溝部６０６は、従来のレンズと同様に、電気活性レンズ６００をメガネフレームに位置付けて安定化させるために使用される。
【００４３】
電気活性レンズ６００は、第１電気リードまたはコネクタ６０８と、第２電気リードまたはコネクタ６１０と、を備える。第１及び第２電気リード６０８及び６１０は、電気活性レンズ６００の電気活性領域に電力（例えば駆動信号または制御信号）を供給する。特に、第１及び第２電気リード６０８及び６１０は、電気活性レンズ６００の電気活性領域を電源と関連するメガネフレーム内に収容された電子部品（例えば図５に示す電子モジュール／制御ユニット２０２）とに連結または接続している。第１及び第２電気リード６０８及び６１０は、限定しないが銀インクを含む任意の導電材料で構成されている。第１及び第２電気リード６０８及び６１０は、基板６０２及び６０４に配置された透光性導電層に描かれ、塗布され、または他の方法で堆積される。
【００４４】
接続性を確実にするまたは改善するため、電気活性レンズ６００を縁付け及び溝付けした後、少量の導電材料、塗料またはペーストを第１及び第２電気リード６０８及び６１０の頂部に配置する。具体的には、図６に示すように、第１導電材料６１２を第１電気リード６０８の頂部において溝部６０６に配置し、第２導電材料６１４を第２電気リード６１０の頂部において溝部６０６に配置する。第１及び第２導電材料６１２及び６１４は、ほぼ透明であり、インジウムスズ酸化物（ＩＴＯ）ペーストまたは銀微粒子を含む塗料（例えば銀インク）で構成される。
【００４５】
図７は、本発明の一態様におけるフレーム７００の一部を示す。フレーム７００は、電気活性レンズ（単純化のため図７に示さない）と電気活性レンズを動作させるために使用される電子部品との間の電気的接続性をもたらす。
【００４６】
フレーム７００は、右側レンズ縁またはリム７０２の上側部分と、右側レンズ縁またはリム７０４の下側部分と、を有する。フルリム型フレームに関して、下側部分７０４は、電気活性レンズの下方においてブリッジ７０６までに延在する。部分リム型フレームに関して、下側部分７０４は、一般的に、ブリッジ７０６まで延在しない。
【００４７】
フレーム７００は、電子モジュール２０２と、電子モジュール２０２を収容する領域と、を有する。第１導電体７０８は、上側リム部分７０２の溝部内に位置付けられている。第２導電体７１０は、下側リム部分７０４の溝部内に位置付けられている。第１及び第２導電体７０８及び７１０は、可撓性を有する圧縮可能な材料で構成されている。電気活性レンズ、例えば図６に示す電気活性レンズ６００をフレーム７００内に位置付けると、第１及び第２導電体７０８及び７１０それぞれは、圧縮されて上側及び下側リム部分７０２及び７０４の溝部内、及び電気活性レンズ６００の溝部６０６内に嵌め込まれる。第１導電体７０８は、第１導電材料６１２と接触するように位置付けられている。第２導電体７１０は、第２導電材料６１４と接触するように位置付けられている。
【００４８】
フレーム７００は、上側導電部材７１２と、下側導電部材７１４と、絶縁または分離部材７１６と、を有する。上側導電部材７１２、下側導電部材７１４及び絶縁部材７１６は、フレーム７００のテンプルをレンズ縁部分（すなわち上側及び下側リム部分７０２及び７０４）に物理的に結合する。
【００４９】
上側導電部材７１２は、電子モジュール２０２と第１導電体７０８との間の接続性をもたらす。第１導電体７０８は、図６に示す第１導電材料６１２への接続性（そして結果として、第１電気リード６０８への接続性）をもたらす。下側導電部材は、電子モジュール２０２と第２導電体７１０との間の接続性をもたらす。第２導電体７１０は、図６に示す第２導電材料６１４への（そして結果として、第２電気リード６１０への接続性）をもたらす。絶縁部材７１６は、電子モジュール２０２、上側導電部材７１２及び第１導電体７０８の間の接続経路が電子モジュール２０２、下側導電部材７１４及び第２導電体７１０の間の接続経路から絶縁しているまたは電気的に分離しているままとなることを確実にしている。
【００５０】
上側導電部材７１２及び下側導電部材７１４の任意の部分は、導電リンクを提供する。例として、上側及び下側導電部材７１２及び７１４全体は、導電性を有する（例えば金属で形成されかつ非導電材料で被覆されている）、または、上側及び下側導電部材７１２及び７１４の所定部分は、導電性を有する（例えば非導電材料で覆われた内部部分）。
【００５１】
図８は、図７に示すフレーム７００を示す分解図である。図８に示すように、フレーム７００は、上側導電部材７１２、絶縁部材７１６及び下側導電部材７１４を上側リム部分７０２及び下側リム部分７０４に接続することによって組み立てられている。そして、第１導電体７０８及び第２導電体７１０は、上側リム部分７０２及び下側リム部分７０４それぞれの溝部内に位置付けられている。第１及び第２導電体７０８及び７１０は、これらが第１導電材料６１２及び第２導電材料６１４それぞれと接触する領域に位置付けられている。
【００５２】
図７及び図８に示す構成部材、すなわち上側導電部材７１２、下側導電部材７１４、絶縁部材７１６、上側リム部分７０２、下側リム部分７０４、第１導電体７０８及び第２導電体７１０は、部分リム型フレームまたはフルリム型フレームとしてフレーム７００の所定部分を形成するため、及び各タイプのフレーム（及びさまざまなスタイルのフレーム）について、本発明における電子モジュールと本発明における電気活性レンズとの間の接続性をもたらすために使用される。
【００５３】
フルリム型フレームに関して、上側リム部分７０２及び下側リム部分７０４双方は、上側導電部材７１２及び下側導電部材７１４それぞれからブリッジ７０６まで延在する。部分リム型フレームに関して、一般に、上側リム部分７０２のみは、上側導電部材７１２からブリッジ７０６まで延在する一方、下側リム部分７０４は、ブリッジ７０６まで延在しない。
【００５４】
フレーム７００をフルリム型フレームまたは部分リム型フレームとして実施する場合、第１導電体７０８は、任意のサイズ及び長さからなる。すなわち、第１導電体７０８は、上側リム７０２の任意の部分に沿って延在し、電気活性レンズ１０４の所望のリードと電気的接続性を形成する。フレーム７００をフルリム型フレームとして実施する場合、第２導電体７１０は、同様に任意のサイズまたは長さからなり、電気活性レンズ１０４の第２の所望のリードと電気的接続性を形成する。しかしながら、フレーム７００を部分リム型フレームとして実施する場合、第２導電体７１０は、下側リム部分７０４と同等または下側リム部分７０４より短い長さからなる。
【００５５】
図９は、本発明の一態様における電気活性メガネ９００の所定部分を示す。電気活性メガネ９００は、縁ナシ型メガネとして実施されている。すなわち、上側及び下側リムが電気活性レンズ１０４を支持していない。
【００５６】
図９に示すように、電気活性メガネ９００は、電子モジュール２０２と、電子モジュール２０２を収容する領域と、を有する。電子モジュール２０２は、（図７及び図８に示す上側導電部材７１２及び下側導電部材７１４と同様に）上側導電部材９０２及び下側導電部材９０４を用いて電気活性レンズ１０４に電気的に結合されている。上側及び下側導電部材９０２及び９０４双方は、非導電材料（例えばプラスチック）で覆われた保護された内部導電経路（例えば導電ワイヤ）を有する分離されたまたは絶縁された導電体である。あるいは、上側及び下側導電部材９０２及び９０４全体は、導電材料で構成され、非導電材料で被覆されている。
【００５７】
電気活性メガネ９００のフレームは、上側支持部材９１０及び下側支持部材９１２を用いて電気活性レンズ１０４を支持している。代替として、上側及び下側支持部材９１０及び９１２の一方を使用する。上側及び下側支持部材９１０及び９１２双方は、電気活性レンズ１０４に存在する穴部を通して位置付けられている。電気活性メガネ９００のフレームは、同様に、上側接点９０６及び下側接点９０８によって支持されている。上側及び下側接点９０６及び９０８双方は、電気活性レンズ１０４に存在する穴部を通して位置付けられている。上側及び下側接点９０６及び９０８は、電気活性レンズ１０４の適切な要素と電気的に接触する所定部分を有する圧縮ピンコネクタである。
【００５８】
電気活性レンズ１０４を同時に支持する間、上側接点９０６は、電気活性レンズの第１電気リード（例えば図６に示す第１電気リード６０８）と電気的に接触する。同様に、下側接点９０８は、電気活性レンズ１０４を支持する一方、同様に電気活性レンズの第２電気リード（例えば図６に示す第２電気リード６１０）との電気的接触をもたらす。
【００５９】
上側接点９０６及び上側支持部材９１０双方は、アームの一部または上側導電部材９０２の延長部を形成する。上側接点９０６及び上側支持部材９１０は、絶縁材料（例えばプラスチック）によって絶縁されまたは収容された１以上の導電体（例えばワイヤ）を備える。上側接点９０６及び上側支持部材９１０は、電気活性レンズ１０４の前方に位置付けられる（そして、図９に示すように、電気活性レンズ１０４の後ろ側を通って接続する）、または電気活性レンズ１０４の後方に位置付けられる（そして、電気活性レンズ１０４の前方を通って接続する、図示略）。下側接点９０８及び下側支持部材９１２は、上側接点９０６及び上側支持部材９１０の組み合わせと同様の態様で位置付けられている（そして、アームの一部または上側導電部材９０２の延長部を形成する）。
【００６０】
図１０は、本発明の一態様における電気活性メガネ１０００を示す前面図である。電気活性メガネ１０００は、部分リム型メガネとして実施されている。電気活性メガネの右側（例えばフレームの右側部分１００２）から電気活性メガネの左側（例えばフレームの左側部分１００４）までの間の電気的接続性は、さまざまな方法でもたらされており、部分リム型の設計に限定されない。右側部分１００２と左手部分１００４との間の電気的接続性は、片側に位置する単一の電子モジュール（例えば電子モジュール２０２）が電気活性レンズ１０４及び１０６双方の動作を支配することを可能とする。さらに、この接続性は、電気活性レンズ１０４及び１０６を別個の電子モジュールで駆動する場合であっても、電気活性レンズ１０４及び１０６の同期させた動作を補償する。
【００６１】
１以上の導電素子（例えば導電ワイヤ）は、右側の上側フレームまたはリム部材１００６、左側の上側フレームまたはリム部材１００８、及びブリッジ１０１０（並びに、いくつかのフレーム設計に関して、左側の下側フレームまたはリム部材及び右側の下側フレームまたはリム部材）に埋め込まれている。導電素子は、絶縁材料によって埋め込まれまたは囲まれている。１以上の導電素子を右側の上側フレーム部材１００６、ブリッジ１０１０及び左側の上側フレーム部材１００８に埋め込むことにより、電気活性メガネ１０００の片側にある電子モジュールは、電気活性レンズ１０４及び１０６双方の動作を制御しかつ／または同期させることができる。
【００６２】
縁ナシ型メガネは、一般に、右側の上側フレーム部材１００６または左側の上側フレーム部材１００８を有さない。しかしながら、縁ナシ型フレームは、一般に、ブリッジ１０１０を有する。縁ナシ型フレームの右側部分１００２と左側部分１００４との間の電気的接続性は、電気活性レンズ１０４及び１０６の製造に組み込まれた導電素子を使用して実現される。具体的には、ブリッジ１０１０は、（例えば１以上のＩＴＯ層を用いて）電気活性レンズ１０４及び１０６の１以上の導電素子と（例えば、埋込型の導電リンクまたはブリッジに隣接されるもしくは接続される導電リンクを用いて）電気的に接続しており、これら導電素子は、それら自体がメガネレンズの右側部分１００２及び左側部分１００４それぞれに結合されている。縁ナシ型フレームの右側部分１００２と左側部分１００４との間の電気的接続性は、同様に、電気活性レンズの溝部（例えば図６に示す溝部６０６）内に位置付けられた導電ワイヤを用いて右側部分１００２を左手部分１００４に結合することによって、実現される。電気活性レンズの頂部部分または電気活性レンズの底部部分にある溝部の一部は、１以上の導電ワイヤを収容または入れるために使用される。このような溝部内に位置付けられた導電ワイヤは、絶縁されている。
【００６３】
本発明の一態様において、１以上の導電ワイヤは、モールド一体成形(mold cast)処理中に、前記活性メガネの上側リムコネクタ、ブリッジ及び／または下側リムコネクタと、本発明のフレームと、に埋め込まれている。すなわち、上側リムコネクタ、ブリッジ及び／または下側リムコネクタを一体成形処理を用いて形成する場合、１以上の導電ワイヤは、上側リムコネクタ、ブリッジ及び／または下側リムコネクタを下処理するときに覆って一体成形される。一般的に、厚い導電ワイヤをこのような処理中に用いる。ナイロンは、１以上の導電ワイヤにオーバーモールドして上側リムコネクタ、ブリッジ及び／または下側リムコネクタを形成するために使用される例示的な材料である。
【００６４】
本発明の一態様において、１以上の導電ワイヤは、フレーム構成部材それぞれを組み立てるように、電気活性メガネの上側リムコネクタ、ブリッジ及び／または下側リムコネクタと本発明のフレームとに埋め込まれている。より具体的には、１以上の導電ワイヤを埋め込む上側リムコネクタ、ブリッジ及び／または下側リムコネクタのいずれかは、２以上の個別のまたは別個の片によって製造される。例えば、上側リムコネクタは、ほぼ同一形状からなる２つのほぼ対称な片、個別に縦半分の上側リムコネクタ分割体の一部としてみなされる前片及び後片から形成される。前片及び後片を組み立てて完全な上側リムコネクタを形成する前に、１以上のワイヤは、前片及び後片間に（すなわち前片及び後片間の界面に）おいて（例えば前片及び／後片に成形されたまたは機械加工された溝部内に）埋め込まれる。完全な上側リムコネクタを形成するために使用される前片及び後片は、例えば接着剤を用いて、同時に組み合わされる。
【００６５】
本発明の一態様において、１以上の導電ワイヤは、フレームを組み立てた後に、電気活性メガネの上側リムコネクタ、ブリッジ及び／もしくは下側リムコネクタまたは本発明のフレームに埋め込まれている。具体的には、１以上の溝部は、１以上の導電ワイヤを収容するために使用される上側リムコネクタ、ブリッジ及び／または下側リムコネクタに機械加工される。そして、加工した溝部は、導電ワイヤを外観上隠す材料で充填されるまたは覆われる。そして、組み立てられたフレームは、ワイヤを埋め込んだ領域を隠すまたはマスクするように研磨される。アセテートは、１以上の導電ワイヤを埋め込むこの方式で扱われる例示的な材料である。
【００６６】
図１７は、本発明の一態様における電気活性フレーム１７００を示す。電気活性レンズは、電気活性フレーム１７００内に取り付けられている。簡潔さのため、電気活性レンズの動作を支配するために使用される電子機器１７０２の一部を示す。電子機器１７０２は、上述した電子モジュール２０２の一部を示すかつ／または電気活性フレーム１７００のテンプルと電気活性フレーム１７００の前方部分との間に電気的接続性をもたらすように位置付けられた導電素子を示す。電気活性フレーム１７００は、電気活性フレーム１７００の一側のみにある電子機器１７０２を有して示されているが、これに限定されない。
【００６７】
図１７にさらに示すように、電気活性フレーム１７００は、導電リード１７０４及び１７０６と導電リンク１７０８とを有する。導電リンク１７０８は、電気活性フレーム１７００の一側から電気活性フレーム１７００の他側まで電気的接続性をもたらす。導電リード１７０４は、電子機器１７０２と電気活性フレーム１７００内に取り付けられた第１電気活性レンズとの間に電気的接続性をもたらす。導電リード１７０６は、導電リンク１７０８と電気活性フレーム１７００内に取り付けられた第２電気活性レンズとの間に電気的接続性をもたらす。
【００６８】
図１７に示すように、導電リンク１７０８は、電気活性フレーム１７００内に埋め込まれているまたは位置付けられている。導電リンク１７０８は、図示するまたは図示しない任意の数の導電素子（例えばワイヤ）を有する。電気活性フレーム１７００がフレーム１７００の各側にある駆動電子機器（例えば主及び従駆動電子機器または電子モジュール２０２）を使用する場合、わずか１つのみの単一のワイヤは、導電リンク１７０８を構成する。電気活性フレーム１７００が電気活性フレーム１７００の一側のみにある駆動電子機器を有する場合、少なくとも２つのワイヤまたは導電素子を使用する。導電リンク１７０８は、導電リンクを埋め込むことに関する上記方法のいずれかにしたがって電気活性フレーム１７００の内側に位置付けられており、この方法は、限定しないが、（１）モールド一体成形中に埋め込むこと、（２）電気活性フレーム１７００の前方フレーム部分の組立工程中に埋め込むこと、及び、（３）導電リンク１７０８のための溝部または経路を形成することによって電気活性フレームを組み立てた後に埋め込むこと、を含む。また、導電リンク１７０８は、上述のようにフレーム１７００内に位置付けられる本発明の電気活性レンズの導電層を使用するまたは代替的に備える。
【００６９】
図１８は、本発明の一態様における電気活性メガネ１８００を示す。電気活性メガネ１８００は、電子モジュール２０２を有する。また、電気活性メガネ１８００は、導電リンク１８０２を有する。導電リンク１８０２は、図示するまたは図示しない任意の数の導電素子（例えばワイヤ）を有する。導電リンク１８０２は、電子モジュール２０２と電気活性レンズ１０４及び電気活性レンズ１０６との間の電気的接続性をもたらす。
【００７０】
図１８に示すように、導電リンク１８０２の所定部分は、電気活性メガネ１８００のフレームの所定部分内に位置付けられているまたは埋め込まれている。縁ナシ型メガネにおいて、導電リンク１８０２は、電気活性レンズの溝部（例えば図６に示す溝部６０６）を通って経路付けられている。図１８にさらに示すように、導電リンク１８０２は、電気活性メガネ１８００のブリッジ１８０４に隣接して経路付けられている。例えば、導電リンクは、ブリッジ１８０４に隣接して位置付けられた管部１８０６を通って経路付けられている。
【００７１】
図１１は、本発明の一態様における電気活性メガネの右側テンプル１１００の所定部分を示す。図１１に示す右側テンプル１１００の部分は、電気活性レンズ（簡素化のために図１１に示されていない）に結合された右側テンプル領域１１０２を示す。右側テンプル領域１１０２は、本発明の電気活性モジュールを有する。右側テンプル領域１１０２は、第１導電リンク１１０４を通って第１導電体７０８に結合されている。右側テンプル領域１１０２は、第２導電リンク１１０６を通って第２導電体７１０にさらに結合されている。
【００７２】
第１及び第２リンク導体１１０４及び１１０６は、電気活性メガネを開いたまたは閉じたときにフレーム（簡素化のために図１１において示されていない）が曲がることを許容するように構成されている。第１及び第２リンク導体１１０４及び１１０６は、１以上の導電素子（例えば導電ワイヤ）を収容し、これらを絶縁もしくは非導電材料で囲むまたはこれら自体全体を導電性とする。第１及び第２リンク導体１１０４及び１１０６は、これらが右側テンプル領域１１０２と電気活性レンズの導電素子との間の（例えば導電素子７０８及び７１０までの）途切れない物理的接続をもたらすので、連続的導電リンクとされる。
【００７３】
図１２は、本発明の一態様における（縁ナシ型メガネとして実施される）電気活性メガネの右側テンプル１２００の所定部分を示す。図１２に示す右側テンプル１２００のこの部分は、電気活性レンズ（簡素化のために図１１に示さない）に結合された右側テンプル領域１１０２を示す。右側テンプル領域１１０２は、本発明の電気活性モジュールを有する。右側テンプル領域１１０２は、第１バネ導体１２０２を介して上側導電部材７１２に結合されている。右側テンプル領域１１０２は、第２バネ導体１２０４を介して下側導体７１４にさらに結合されている。第１及び第２バネ導体１２０２及び１２０４は、１以上の導電素子（例えば導電ワイヤ）を収容し、これらを絶縁もしくは非導電材料で囲むまたはそれら自体全体を導電性とする。第１及び第２バネ導体１２０２及び１２０４は、これらが右側テンプル領域１１０２と電気活性レンズの導電素子との間の（例えば上側及び下側導電部材７１２及び７１４までの）途切れのある物理的接続をもたらすので、非連続的導電リンクとされる。
【００７４】
第１及び第２バネ導体１２０２及び１２０４は、メガネが使用中のとき（すなわちメガネを開いたとき）に右側テンプル部分１１０２から伸長する。第１及び第２バネ導体１２０２及び１２０４は、メガネを使用しないとき（すなわちメガネを閉じたとき）に右側テンプル部分１１０２の内側に後退する。開くと、第１及び第２バネ導体１２０２及び１２０４は、伸長して上側及び下側導電部材７１２及び７１４それぞれと接触する。
【００７５】
図１１及び図１２に示しかつ上述した接続機構は、本発明の任意のタイプの、すなわちフルリム型、部分リム型及び縁ナシ型のフレームスタイルに使用される。さらに、本発明の一態様において、第１及び第２バネ導体１２０２及び１２０４は、本発明の電気活性メガネを作動、作動停止または動作のスタンバイモードもしくはオフモードにするために使用される。例えば、バネ導体１２０２及び１２０４が上側及び下側導電部材７１２及び７１４に結合されていないまたは接触していない場合、本発明の電気活性メガネは、電源遮断されるまたはスタンバイモードにされる。バネ導体１２０２及び１２０４が上側及び下側導電部材７１２及び７１４に結合されているまたは接触している場合、本発明の電気活性メガネは、電源供給されるもしくは作動モード（例えば検出した入力に基づく切替モード）にされるまたは電気活性レンズを即座に作動させる。
【００７６】
当業者に理解されるように、フレーム内に収容された電子機器は、容量の減少または駆動信号波形の変化を観測することによって、レンズの接続解除状態などを検出し、この減少または変化は、バネ導体１２０２及び１２０４が上側及び下側導電部材７１２及び７１４に結合されないまたは接触しない場合に発生する。いったんレンズの接続解除状態にあると、本発明の電気活性メガネの電子部品は、低電力、スタンバイまたはオフモードに移行する。低電力またはスタンバイモードにある場合、本発明の電気活性メガネの電子部品は、検出した容量または駆動信号波形の変化を周期的にまたはランダムに観測し、いつフレームが使用するために再度開いたかを検知する。
【００７７】
図１３は、本発明の一態様における電気活性メガネ１３００の代表的なブロックダイアグラムを示す。電気活性メガネ１３００は、上述した本発明の電気活性メガネ（例えば電気活性メガネ１００）を示す。電気活性メガネ１３００は、右側電気活性レンズ１３０２及び左側電気活性レンズ１３０４を有する。右側及び左側電気活性レンズ１３０２及び１３０４は、上記第１及び第２電気活性レンズ１０４及び１０６を示す。電気活性メガネ１３００は、右側制御ユニット１３０６及び左側制御ユニット１３０８を有する。左側及び右側制御ユニット１３０６及び１３０８それぞれは、上記電子モジュール２０２またはその一部を示す。
【００７８】
右側制御ユニット１３０６は、分離スイッチ１３１０、駆動回路１３１２及び送信回路１３１４を有する。駆動回路１３１２は、右側電気活性レンズ１３０２を動作させる（例えば作動させる）ための駆動信号を発生させる。例えば、右側電気活性レンズ１３０２を作動させるため、駆動回路１３１２は、駆動信号または作動信号を形成し、発生し、または送信する。さらに、右側電気活性レンズ１３０２を作動停止させるため、駆動回路１３１２は、駆動信号の形成、発生または送信を単に停止する。
【００７９】
送信回路１３１４は、右側及び左側電気活性レンズ１３０２及び１３０４の動作を調整するために同期信号を発生する。具体的には、送信回路１３１４は、左側電気活性レンズ１３０４を作動または作動停止させるように指示する同期信号を送信する。例として、左側電気活性レンズ１３０４は、同期信号または作動を指示する第１タイプの同期信号の受領に基づいて、作動される。さらに、左側電気活性レンズは、同期信号の欠如または作動停止を指示する第２タイプの同期信号の受領に基づいて、作動停止される。その結果、右側及び左側電気活性レンズ１３０２及び１３０４は、ほぼ同時に作動されかつ作動停止される。
【００８０】
分離スイッチ１３１０は、いつ駆動回路１３１２及び送信回路１３１４が右側電気活性レンズ１３０２を制御ユニット１３０６に結合する導電リンク１３１６にアクセスするかを決定する。導電リンク１３１６は、１以上の導電ワイヤを備える。導電リンク１３１６は、上で図示しかつ上述した１以上の接続機構（例えば図１１及び図１２に示しかつ上述した経路及び接続機能）を示す。
【００８１】
電気活性メガネを単一の制御ユニット（例えば制御ユニット１３０６）のみで実施する場合、制御ユニット１３０６は、右側及び左側電気活性レンズ１３０２及び１３０４の動作を制御する。このような計画の下、分離スイッチ１３１０及び送信回路１３１４は、任意である。さらに、左側及び右側電気活性レンズ１３０２及び１３０４は、駆動回路１３１２によって形成される駆動信号によってほぼ同時に作動される。
【００８２】
右側及び左側制御ユニット１３０６及び１３０８間の通信リンクは、導電リンク１３１６、右側電気活性レンズ１３０２内の導電素子、電気活性メガネのブリッジ内もしくはブリッジに隣接して収容されたブリッジ導電リンク１３１８、左側電気活性レンズ１３０４内の導電素子及び導電リンク１３２０の任意の部分を構成する。導電リンク１３２０は、１以上の導電ワイヤを備え、図示しかつ上述した１以上の接続機構（例えば図１１及び図１２に示す経路及び接続機能）を示す。右側及び左側制御ユニット１３０６及び１３０８間の通信リンクは、同様に、フレーム導電リンク１２２２（図１３において破線で示す）を有するまたは代替的に有する。
【００８３】
フレーム導電リンク１３２２は、１以上の導電ワイヤを有し、この導電ワイヤは、右側及び左側電気活性レンズ１３０２及び１３０４にわたって巻き付けられる、例えば上述のようにフレームの所定部分に埋め込まれる及び／または右側及び左側電気活性レンズ１３０２及び１３０４の溝部内に収容される。フレーム導電リンク１３２２は、同様に、右側及び左側電気活性レンズ１３０２及び１３０４の導電素子（例えば右側及び左側電気活性レンズ１３０２及び１３０４の１以上のＩＴＯ層または他の透光性導電層）を有する。例えば、フレーム導電リンク１３２２は、無線リンクであり、この無線リンクは、右側及び左側電気活性レンズ１３０２及び１３０４の導電層をアンテナとして使用し、右側及び左側電気活性レンズ１３０２及び１３０４間の通信及び／または同期を容易にする。あるいは、他の導電素子は、本発明の電気活性メガネ内に埋め込まれ、右側及び左側電気活性レンズ１３０２及び１３０４間の通信及び／または同期を容易にする。１以上のこれら埋め込まれたアンテナは、同様に、本発明の電気活性メガネと遠隔通信デバイスとの間の無線通信リンクを形成する。
【００８４】
全体として、右側制御ユニット１３０６は、左側制御ユニット１３０８と通信し、かつ／または、単一の導電ワイヤまたはリンクを用いて左側電気活性レンズ１３０４を動作させる。単一の導電ワイヤは、同様に、右側電気活性レンズ１３０２を動作させるために使用される。単一の導電ワイヤまたはリンクは、フレームの所定部分内に埋め込まれており、電気活性レンズの導電素子を有する。
【００８５】
左側制御ユニット１３０８は、分離スイッチ１３２４と、駆動回路１３２８と、受信回路１３２６と、を有する。駆動回路１３２８は、左側電気活性レンズ１３０２を動作させる（例えば作動させる）駆動信号を発生させる。受信回路１３２６は、右側電気活性モジュール１３０６によって送信された同期信号を受信し処理する。分離スイッチ１３２４は、駆動回路１３１２及び受信回路１３２６が左側電気活性レンズ１３０４を制御ユニット１３０８に結合する導電リンク１３２０にアクセスするときを判断する。
【００８６】
受信回路１３２６は、導電リンク１３２０にわたって送信された同期信号を聞く。受信回路１３２６は、具体的なまたはランダムな期間で周期的にまたはランダムに聞く。いったん同期信号を受信すると、制御ユニット１３０８は、それに応じて動作させる、すなわち駆動回路１３２８によって送信された駆動信号を用いて左側電気活性レンズ１３０４を作動または作動停止させる。
【００８７】
送信回路１３１４は、ユーザの頭部角度の変化の検知（例えば明確さのために図示しない右側制御ユニット１３０６に含まれるジャイロスコープまたは加速度計によって検知される）またはユーザが出す手動の命令に応じて、同期信号を発信する。送信回路１３１４によって発信される同期信号は、それをノイズから区別するため及び誤ったトリガを防止するためにコード化される。
【００８８】
図１４は、本発明の一態様における電気活性メガネの充電器１４００を示す。（スリムライン充電器としての）充電器１４００は、本発明における電気活性メガネ（例えば電気活性メガネ１００）を充電／再充電するために使用される。
【００８９】
図１４に示すように、スリムライン充電器１４００は、前方部材またはベース部材１４０２と、第１移動可能アーム１４０４と、第２移動可能アーム１４０６と、を備える。前方部材１４０２は、隆起支持部材１４０８と、充電状態表示器１４１０と、を有する。充電状態表示器１４１０は、発光ダイオード（ＬＥＤ）である。第１アーム１４０４は、第１の調整可能な充電領域１４１２（または第１の調整可能な誘導充電クレードル）を有し、第２アーム１４０６は、第２の調整可能な充電領域１４１４（または第２の調整可能な誘導充電クレードル）を有する。
【００９０】
ベース部材１４０２は、電気活性メガネ１００の前方部分（第１及び第２電気活性レンズ１０４及び１０６並びに任意の取り囲むフレームのリム部分）を支持する。隆起支持部材１４０８は、電気活性メガネ１００のブリッジ領域を支持する。あるいはまたはさらに、隆起支持部材１４０８は、１以上の電気活性レンズまたは電気活性メガネ１００のリム部分を支持する。
【００９１】
第１アーム１４０４は、移動可能である。具体的には、第１アーム１４０４は、第１アーム１４０４を前方部材１４０２に取り付ける点回りに閉じた位置から開いた位置に回転する。第１アーム１４０４は、図１４において開いた位置で示される。閉じた位置において、第１アーム１４０４は、第１部材１４０２に近接しかつ平行である。第１アーム１４０４と同様に、第２アーム１４０６は、同様に移動可能である。具体的には、第２アーム１４０６は、第２アーム１４０６を前方部材１４０２に取り付ける点回りに閉じた位置から開いた位置に回転する。第２アーム１４０６は、図１４において開いた位置で示される。閉じた位置において、第２アーム１４０６は、第１部材１４０２に近接しかつ平行である。
【００９２】
第１の調整可能な充電クレードル１４１２は、第１アーム１４０４に沿って移動される。例として、第１の調整可能な充電クレードル１４１２は、位置決めネジを用いて所定位置内に保持され、第１アーム１４０４に位置付けられた溝部に沿って移動される。第１充電領域１４１２は、電気活性メガネ１００の充電領域の近傍または隣に位置するように調整されている。第１充電領域１４１２は、誘導充電器を有し、電気活性メガネ１００の誘導充電領域を誘導的に充電する。例として、電気活性メガネ１００は、上述のように、電子モジュール内に誘導充電領域を有する。電気活性メガネ１００を再充電するため、第１の調整可能な充電領域１４１２は、電気活性メガネ１００の誘導充電領域に近接して位置付けられる。
【００９３】
これに対して、第２の調整可能な充電クレードル１４１４は、第２アーム１４０６に沿って移動される。例として、第２の調整可能な充電クレードル１４１４は、位置決めネジを用いて所定位置内に保持され、第２アーム１４０６に位置付けられた溝部に沿って移動される。第２充電領域１４１４は、電気活性メガネ１００の充電領域の近傍または隣に位置するように調整されている。第２充電領域１４１４は、誘導充電器を有し、電気活性メガネ１００の誘導充電領域を誘導的に充電する。電気活性メガネ１００を再充電するため、第２の調整可能な充電領域１４１４は、電気活性メガネ１００の誘導充電領域に近接して位置付けられる。
【００９４】
図１４に示すように、スリムライン充電器１４００は、２つの電子モジュールを再充電するために使用される。スリムライン充電器１４００は、同様に、単一の電子モジュールを有する電気活性メガネ１００を充電するために使用される。第１及び第２の調整可能な充電領域１４１２及び１４１４が移動することを可能とすることによって、スリムライン充電器１４００は、さまざまなフレームサイズ及びスタイルを再充電するために使用される。すなわち、フレームサイズがさまざまなユーザに対して変化するので、フレームの再充電領域は、前方部材１４０２に関して異なる位置に位置している。したがって、第１及び第２の調整可能な充電領域１４１２及び１４１４は、これら充電領域に並ぶまたは近接するように移動される。全体として、スリムライン充電器１４００は、任意のタイプ、フルリム型、部分リム型及び縁ナシ型、並びに任意のフレームサイズ及び形状を支持する。
【００９５】
誘導充電の代替例として、充電器１４００は、電気活性メガネを直接充電するために使用される。すなわち、充電器１４００は、電気活性メガネに差し込んで誘導的ではなく直接電力を移送する導電リンクを有する。
【００９６】
充電状態表示器１４１０は、電気活性メガネ１００の充電状態の変化を表示するために状態を変化させる。例えば、充電状態表示器１４１０は、充電器１４００が充電されていないこと（例えばオフ状態）を示す第１状態と、充電器１４００が電気活性メガネ１００を再充電していること（例えば充電状態）を示す第２状態と、充電器１４００が電気活性メガネ１００を完了したまたは完全に再充電したこと（例えば充電または完全再充電状態）と、を有する。スリムライン充電器１４００は、再充電可能な電源を有し、充電器を電源（例えば壁のコンセント）に直接接続していないときに電気活性メガネ１００の充電を可能とする。スリムライン充電器１４００は、充電器１４００を電源（例えば壁のコンセント）に接続するポートを有する。したがって、スリムライン充電器１４００は、電源に差し込むまたか電源に差し込まなくても、電気活性メガネ１００を充電する。
【００９７】
図１５は、スリムライン充電器１４００を示す側面図である。図１５に示すように、電気活性メガネは、３つの箇所、メガネの前方部分（電気活性メガネ１００のレンズまたはレンズ近傍）、電気活性メガネ１００のフレームの右側テンプル領域（図１５に示す）、及び、電気活性メガネ１００のフレームの左側テンプル部分（図１５に示さない）、において、充電器１４００によって安定化されかつ支持されている。第２の調整可能な充電領域１４１４は、横方向に移動され、電気活性メガネ１００の前方テンプル領域の任意の部分に近接する（すなわち、第２の調整可能な充電領域１４１４を電気活性メガネ１００の誘導充電領域に近接して配置する）。
【００９８】
図１６は、閉じた位置にあるスリムライン充電器１４００を示す。具体的には、第１及び第２アーム１４０４及び１４０６は、回転され、ベース部材１４０２に隣接しかつ平行に位置付けられている。ヒンジもしくはロックまたは他のデバイスは、第１及び第２アーム１４０４及び１４０６それぞれを所定位置にロックするために使用される。充電器１４００は、ボタン、ノブまたは他のデバイスを有しており、第１及び第２アーム１４０４及び１４０６をそれらの閉じた、ロックされた位置から解放する。
【００９９】
本発明の態様は、同様に、従来のメガネケースで見られるように、頂部カバー及び底部カバーを有する電気活性メガネ用の充電ケースを有する。本発明の充電ケースは、１以上の充電領域と電源とを有する。本発明の充電ケースの電源は、再充電可能である。
【０１００】
結論
本発明のさまざまな実施形態を上述したが、理解すべきことは、これらが例として示されており、限定しないことである。上述した任意の導電素子（例えばフレームの上側及び下側部分）は、全体的に導電性を有する（かつ非導電材料で覆われる可能性がある）または埋め込まれたもしくは埋もれた導電素子（例えば導電コア）または非導電性の外側もしくは包囲層を含む。さらに、例えば電気ワイヤまたは接続として説明されるまたは参照された任意の導電リンクは、当業者が理解するように、光学導電リンクを代替的にまたはさらに有する。埋め込まれた導電リンクを用いて本発明の電気活性メガネの電気素子を結合するまたは接続する例示的な技術（例えば電子部品、電源供給及び電気活性レンズの制御）は、当業者が理解するように、１以上の導電光学リンク（例えば１以上の光ファイバ）を埋め込むために使用されてもよい。
【０１０１】
全体的に、当業者が理解することは、本発明の精神及び範囲から逸脱することなく形式上のかつ詳細なさまざまな変更をなしてもよいことである。したがって、本発明は、以下の特許請求の範囲及びそれらの均等のものにしたがってのみ定義されるべきである。
【符号の説明】
【０１０２】
１００，９００，１０００，１３００，１８００  電気活性メガネ、１０２，７００、１７００  電気活性フレーム，フレーム、１０４  第１電気活性レンズ、１０６  第２電気活性レンズ、２０２  電子モジュール，制御ユニット、４０２  導電ワイヤ、６００  電気活性レンズ、６０６  溝部、６０８  第１電気リード，コネクタ、６１０  第２電気リード，コネクタ、７０２  上側リム部分，上側リム，リム、７０４  下側リム部分，下側部分，リム、７０６，１０１０，１８０４  ブリッジ、７０８  第１導電体、７１０  第２導電体、７１２，９０２  上側導電部材、７１４，９０４  下側導電部材，下側導体、７１６  絶縁部材，分離部材、１００６  右側の上側フレーム部材，リム部材、１００８  左側の上側フレーム部材，リム部材、１１００  右側テンプル部分，右側テンプル領域，右側テンプル（第１テンプル部分）、１１０４  第１導電リンク，第１リンク導体、１１０６  第２導電リンク，第２リンク導体、１２０２  第１バネ導体、１２０４  第２バネ導体、１２２２，１３２２  フレーム導電リンク、１３０２  右側電気活性レンズ（第１電気活性レンズ）、１３０４  左側電気活性レンズ（第２電気活性レンズ）、１３０６  右側制御ユニット，右側電気活性モジュール，制御ユニット、１３０８  左側制御ユニット，制御ユニット、１３１６  ブリッジ導電リンク，導電リンク、１３２０，１７０８，１８０２  導電リンク、１４１２  第１の調整可能な充電領域，充電クレードル（誘導充電領域）、１４１４  第２の調整可能な充電領域，充電クレードル（誘導充電領域）
【図１】
0005729878.tif 000002
【図２】
0005729878.tif 000003
【図３】
0005729878.tif 000004
【図４】
0005729878.tif 000005
【図５】
0005729878.tif 000006
【図６】
0005729878.tif 000007
【図７】
0005729878.tif 000008
【図８】
0005729878.tif 000009
【図９】
0005729878.tif 000010
【図１０】
0005729878.tif 000011
【図１１】
0005729878.tif 000012
【図１２】
0005729878.tif 000013
【図１３】
0005729878.tif 000014
【図１４】
0005729878.tif 000015
【図１５】
0005729878.tif 000016
【図１６】
0005729878.tif 000017
【図１７】
0005729878.tif 000018
【図１８】
0005729878.tif 000019